(57)【要約】   【課題】  運動機能の衰えた愛玩動物の歩行を支援することができる愛玩動物用サポーター付き胴着を提供する。  【解決手段】  内側胴着１０は、胴着片１１、開口部分１２、接合部分１３を備えている。胴着片１１を犬の体に装着し、開口部１２から犬の頭部、前足、下半身を露出させる。この例では内側胴着１０は愛玩動物の肩から腹付近までを包み込む形状となっている。サポーター２０は、右側帯部分２１、右取っ手２２、左側帯部分２３、左取っ手２４、中央帯部分２５を備えている。左右の取っ手２２および２４を介してサポーター２０を引き上げ、愛玩動物の体重を支えてあげる。【選択図】  図６
2008029303.tif 000002
【特許請求の範囲】
【請求項１】
愛玩動物の胴体に装着する胴着となる内側胴着と、
人手で上方に引き上げることにより前記愛玩動物の胴体を上方に支える帯状体のサポーターを備え、前記サポーターを前記内側胴着に取り付けて一体とし、前記サポーターを人手で持つことにより前記愛玩動物の胴体を支える愛玩動物用サポーター付き胴着。
【請求項２】
前記サポーターが一体の帯布であり、前記帯布を左右に広げた状態における左側帯部分と中央帯部分と右側帯部分について、前記中央帯部分を前記内側胴着の下腹部分に縫合して取り付け、前記左側帯部分と前記右側帯部分を前記内側胴着の側面から上方に立て、前記左側帯部分と前記右側帯部分の端部に取っ手を取り付け、前記取っ手を人手で持つ構成とした請求項１に記載の愛玩動物用サポーター付き胴着。
【請求項３】
前記内側胴着が前記愛玩動物の肩から腹付近までを包み込む形状であることを特徴とする請求項１または２に記載の愛玩動物用サポーター付き胴着。
【請求項４】
前記サポーターの上縁にフレーム材を含め、前記サポーターを上方に引き上げる力が前記フレーム材を介して前記サポーターの上縁全体にかかることを特徴とする請求項１から３のいずれかに記載の愛玩動物用サポーター付き胴着。
【請求項５】
ポケット類を前記サポーターまたは前記内側胴着に設けたことを特徴とする請求項１から４のいずれかに記載の愛玩動物用サポーター付き胴着。
【発明の詳細な説明】
【技術分野】
【０００１】
本発明は、愛玩動物用サポーター付き胴着に関する。
本発明の愛玩動物用サポーター付き胴着は、飼い主の介助のもと、歩行が困難となった高齢の四足歩行動物の体重を支え、その歩行を助けるものである。例えば、高齢の犬の体重を支え、その歩行を助けるものである。
【背景技術】
【０００２】
愛玩動物が高齢になると歩行が困難になってくるが、特に犬は習性として外を散歩することが健康上必要とされているため、歩行が困難であっても何とかその歩行を補助し、外を散歩できるような工夫が試みられている。
【０００３】
例えば、特開２００４−２０８６６９号公報に開示された技術は、犬猫等の愛玩動物の胴体を乗せる台座と台座側部のベルトを設け、愛玩動物が当該台座の上に乗った姿勢でベルトを肩と腰に巻きつけて固定するとともに、当該台座下に車輪を設け、愛玩動物の歩行に応じて車輪が回ることにより台座全体の前進が確保せしめられるペット用歩行補助車に関するものである。当該ペット用歩行補助車によれば、愛玩動物が体重を台座に預けることにより足にかかる負担を軽くし、かつ、車輪の取り付け角度を工夫することにより、愛玩動物自身が当該ペット用歩行補助車の進行方向を簡単に変えられるという操作性能を付加せしめている。
【０００４】
また、例えば、特開２００３−００９７０４号公報に開示された技術は、愛玩動物の体を支えて歩行を補助するペット用歩行補助具であって、いわゆるカート状の走行台車の側面に支持ロッドを連結し、当該支持ロッドに愛玩動物の胴部を包み込む帯状紐の吊り下げ支持体を設けたペット用歩行補助具に関するものである。つまり吊り下げ支持体をＵ字型に垂らし、愛玩動物の胴部をそのＵ字型にした帯状紐の吊り下げ支持体上に載せ置いて体重を支えせしめる構造となっている。愛玩動物の足は吊り下げ支持体から露出しており、接地している。
【０００５】
また、例えば、特開２００２−３４５３６０号公報に開示された技術は、特開２００３−００９７０４号公報に開示された技術に近い構成を備えた病犬介護用歩行補助具であり、いわゆるカート状の走行台車のフレームに病犬用の吊り上げベルトをＵ字型に垂らし、愛玩動物の胴部をそのＵ字型の吊り下げベルト上に載せ置いて体重を支えせしめるとともに、肩に装着する締め付けベルトを備え、当該締め付けベルトとカート状の走行台車と連結せしめて一体とし、愛玩動物の歩行に合わせて全体が前方に移動する構造となっている。
【０００６】
【特許文献１】特開２００４−２０８６６９号公報
【特許文献２】特開２００３−００９７０４号公報
【特許文献３】特開２００２−３４５３６０号公報
【発明の開示】
【発明が解決しようとする課題】
【０００７】
上記のいずれの従来技術においても以下のような問題がある。
特開２００４−２０８６６９号公報に開示された技術の場合、愛玩動物の自立歩行を目指したものであり愛玩動物が走行台車に体重を預けることは可能である。しかしながら実際には愛玩動物の自立歩行はかならずしも容易になるとは限らない。四輪者のように車輪間隔が大きい場合には車輪走行が安定しやすいが特開２００４−２０８６６９号公報に開示されたものは車輪間隔が小さく車輪走行が安定し辛いため足腰の弱った愛玩動物の不安定な歩行ではかえって転倒を招く恐れがある。また、実際の愛玩動物の歩行は直線的な歩行ではなく足の運びに応じて体が上下方向に蛇行そして左右方向に蛇行をしながら進むが、台座の走行は直線運動であり歩行運動とは合わず、愛玩動物の歩行を困難にする恐れがある。
【０００８】
特開２００３−００９７０４号公報に開示された技術の場合、カート状の走行車両を用いて飼い主の介助のもと歩行を支援するものであり、愛玩動物がＵ字型に垂らされた帯状紐の吊り下げ支持体に体重を預けることは可能である。しかしながら実際には愛玩動物の歩行はかならずしも容易になるとは限らない。実際の愛玩動物の歩行は直線的な歩行ではなく足の運びに応じて体が上下方向に蛇行そして左右方向に蛇行をしながら進むが、特開２００３−００９７０４号公報に開示された技術の場合、愛玩動物と帯状紐の吊り下げ支持体といわゆるカート状の走行車両の一体性がなく、愛玩動物が帯状紐の吊り下げ支持体に体重を預けたままの静止状態では安定するものの、愛玩動物が歩行する状態ではいわゆるカートの直線的な前進運動と愛玩動物の歩行による上下左右に蛇行する前進運動とが合致せず、両者が一体性を保ちにくく結局、愛玩動物の歩行を困難にする恐れがある。
【０００９】
特開２００２−３４５３６０号公報に開示された技術の場合もカート状の走行車両を用いて飼い主の介助のもと歩行を支援するものであり、愛玩動物がＵ字型に垂らされた帯状紐の吊り下げ支持体に体重を預けることは可能である。愛玩動物といわゆるカート状走行車両を締め付けベルトにより連結しており、特開２００３−００９７０４号公報に比べて愛玩動物とカート状走行車両の一体性は確保されている。しかしながら実際には愛玩動物の歩行はかならずしも容易になるとは限らない。実際の愛玩動物の歩行は直線的な歩行ではなく足の運びに応じて体が上下方向に蛇行そして左右方向に蛇行をしながら進むが、特開２００２−３４５３６０号公報に開示された技術の場合、愛玩動物と帯状紐の吊り下げベルトとの一体性がなく、愛玩動物が帯状紐の吊り下げ支持体に体重を預けたままの静止状態では安定するものの、愛玩動物が歩行する状態ではいわゆるカートの直線的な前進運動と愛玩動物の歩行による上下左右に蛇行する前進運動とが合致せず、両者が一体性を保ちにくい。また、特開２００２−３４５３６０号公報に開示された技術の場合、肩によりカート状走行車両を牽引する構造となっており、前足や肩の運動機能が衰えている愛玩動物には不向きであると言える。
【００１０】
本発明は上述の問題に鑑み、運動機能の衰えた愛玩動物の歩行を支援することができる愛玩動物用サポーター付き胴着を提供することを目的とする。
【課題を解決するための手段】
【００１１】
上記目的を達成するため、本発明の愛玩動物用サポーター付き胴着は、愛玩動物の胴体に装着する胴着となる内側胴着と、人手で上方に引き上げることにより前記愛玩動物の胴体を上方に支える帯状体のサポーターを備え、前記サポーターを前記内側胴着に取り付けて一体とし、前記サポーターを人手で持つことにより前記愛玩動物の胴体を支える愛玩動物用サポーター付き胴着である。
ここで、前記サポーターが一体の帯布であり、前記帯布を左右に広げた状態における左側帯部分と中央帯部分と右側帯部分について、前記中央帯部分を前記内側胴着の下腹部分に縫合して取り付け、前記左側帯部分と前記右側帯部分を前記内側胴着の側面から上方に立て、前記左側帯部分と前記右側帯部分の端部に取っ手を取り付け、前記取っ手を人手で持つ構成とすることが好ましい。
【００１２】
また、前記内側胴着の形状が前記愛玩動物の肩から腹付近までを包み込む形状とすることが好ましい。
【００１３】
また、前記サポーターの上縁にフレーム材を含め、前記サポーターを上方に引き上げる力が前記フレーム材を介して前記サポーターの上縁全体にかかることが好ましい。取っ手を介して上方に引き上げる力が前記サポーターの上縁に均等にかかるようになり愛玩動物を包み込むように支えてやることができる。また、前記サポーターがよれることもない。
【発明の効果】
【００１４】
本発明の愛玩動物用サポーター付き胴着によれば、愛玩動物の体全体を内側胴着により包み込んで優しく保持し、内側胴着と一体になっている帯状体のサポーターを人手で上方に引き上げることにより、内側胴着を介して愛玩動物の体全体を包み込むように上方に引き上げてやることができる。このように愛玩動物の体重を支えつつ、内側胴着全体を引き上げてやるので愛玩動物の体の一部に圧力が集中することなく適度に分散され、愛玩動物の負担が軽減されている。また、人手でサポーターを上方に引き上げているので愛玩動物の歩行による上下左右に蛇行する前進運動の軌跡に対して手首、肘によってうまく調整しつつ上方に支えることができ、愛玩動物の自然な歩行が可能となる。
【発明を実施するための最良の形態】
【００１５】
以下、図面を参照しつつ、本発明の愛玩動物用サポーター付き胴着の実施例を説明する。ただし、本発明の範囲は以下の実施例に示した具体的な形状、個数、角度などには限定されないことは言うまでもない。
【実施例１】
【００１６】
本発明の第１の愛玩動物用サポーター付き胴着の一例を示す。愛玩動物の一例として犬の構成例を示す。
図１から図３は本発明の第１の愛玩動物用サポーター付き胴着の構成例を示す６面図である。本発明の第１の愛玩動物用サポーター付き胴着は、内側胴着とサポーター部分を備えた基本構成である。
図１（ａ）は本発明の第１の愛玩動物用サポーター付き胴着の正面図、図１（ｂ）は同背面図、図２（ａ）は同右側面図、図２（ｂ）は同左側面図、図３（ａ）は同平面図、図３（ｂ）は同底面図を示している。
【００１７】
図１（ａ）及び（ｂ）において、１０は内側胴着、２０はサポーターである。
内側胴着１０は愛玩動物である犬の胴体に装着する胴着である。内側胴着１０は、胴着片１１、開口部分１２、接合部分１３を備えている。
胴着片１１を犬の体に装着し、犬の頭部から首を露出するための開口部１２、前足を露出するための開口部１２、下半身を露出するための開口部１２からそれぞれ当該部位を露出させて装着する。この例では内側胴着１０は愛玩動物の肩から腹付近までを包み込む形状となっている。
【００１８】
なお、この構成例では犬に内側胴着１０を装着しやすいように接合部分１３を設けている。図１から図３に示した構成例では接合部分１３はマジックテープ（ＴＭ）により左右から仮止めする構造の例であるが、他にもボタン式、ジッパー式などの構成やその他の構成であっても良い。また、接合部分１３は内側胴着１０の背側に縦方向に設けられているが、背側以外でも良く、接合方向も縦方向に限定されない。
【００１９】
サポーター２０は人手で上方に引き上げることにより愛玩動物の胴体を上方に支える帯状体のものである。サポーター２０は、右側帯部分２１、右取っ手２２、左側帯部分２３、左取っ手２４、中央帯部分２５を備えている。
【００２０】
図４および図５はサポーター２０の構成が分かりやすいように示す図であり、図４がサポーター部分２０を左右に開いた様子を平面から見た図、図５がサポーター部分２０を左右に開いた様子を底面から見た図である。この構成例ではサポーター２０は一体の帯布となっており、帯布を左右に広げた状態において右側帯部分２１、左側帯部分２３、中央帯部分２５を備えた構成となっている。
サポーター２０の中央帯部分２５は内側胴着１０の下腹部分に縫合して取り付けられており、サポーター２０は内側胴着１０に取り付けられて一体となっている。下腹において縫合されたサポーター２０は、右側帯部分２１と左側帯部分２３の両者が内側胴着１０の側面から上方に立てられた形を基本形とする。
右側帯部分２１の端部には右取っ手２２が取り付けられ、左側帯部分２３の端部には左取っ手２４が取り付けられている。左右取っ手２２および２４を人手で持つ構成となっている。
【００２１】
図６は上記構成にかかる本発明の第１の愛玩動物用サポーター付き胴着の愛玩動物への装着例を模式的に示す図である。
サポーター２０の取っ手２２、２４を人手で持つことにより愛玩動物の胴体を支えることができる。
【００２２】
実施例１に示した愛玩動物用サポーター付き胴着を用いれば、愛玩動物の体全体を内側胴着１０により包み込んで優しく保持し、内側胴着１０と一体になっているサポーター２０を人手で上方に引き上げることにより、内側胴着１０を介して愛玩動物の体全体を包み込むように上方に引き上げてやることができる。
このように愛玩動物の体重を支えつつ、内側胴着１０全体を引き上げてやるので愛玩動物の体の一部に圧力が集中することなく適度に分散され、愛玩動物の負担が軽減されている。また、人手でサポーター２０を上方に引き上げているので愛玩動物の歩行による上下左右に蛇行する前進運動の軌跡に対して手首、肘によってうまく調整しつつ上方に支えることができ、愛玩動物の自然な歩行が可能となる。
【実施例２】
【００２３】
本発明の第２の愛玩動物用サポーター付き胴着の一例を示す。愛玩動物の一例として犬の構成例を示す。
本発明の第２の愛玩動物用サポーター付き胴着は、サポーターの上縁にフレーム材を含め、サポーターを上方に引き上げる力がフレーム材を介してサポーターの上縁全体にかかる工夫を施したものである。
【００２４】
図７はサポーター２０の上縁にフレーム材を含めた構成例を模式的に右側面から示した図である。
サポーター２０の上縁の内部には棒状のフレーム材が含まれている。例えば、プラスチックの棒材、アルミパイプのパイプ材など軽くて丈夫な素材が好ましい。サポーター２０の上縁の内部に棒状のフレーム材が含まれているので、取っ手２２を介して上方に引き上げた場合、フレーム材を介してサポーターが上方に引き上げられることとなり、サポーターにかかる力が均等になる効果が得られる。
また、図７のようにサポーター２０の上縁の内部には棒状のフレーム材が存在すればサポーター２０の上縁が折れ曲がったりよれたりすることはなく、常にピンと張って形が保たれ、形が崩れることがない。
【実施例３】
【００２５】
本発明の第３の愛玩動物用サポーター付き胴着は、本発明の第１の愛玩動物用サポーター付き胴着の構成または本発明の第２の愛玩動物用サポーター付き胴着の構成を備え、さらにポケット類をサポーターまたは内側胴着に設けた工夫を盛り込んだものである。
【００２６】
図８はサポーター２０の側面にポケットを設けた構成例を模式的に右側面から示した図である。
ポケットを設ける位置、ポケットの形状、ポケットの数などは特に限定されず、サポーター２０または胴着に設けることができる。
【００２７】
なお、上記実施例では犬用のサポータ付き胴着の構成を示したが、本発明の愛玩動物用サポーター付き胴着は犬用に限らず、猫用も同様に構成することができ、犬猫以外の動物にも適用できることは言うまでもない。
【００２８】
以上、本発明の好ましい実施例を図示して説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００２９】
本発明の愛玩動物用サポーター付き胴着は、犬、猫などの愛玩動物用の胴着、散歩グッズ、介護用品に用いることができる。
【図面の簡単な説明】
【００３０】
【図１】本発明の第１の愛玩動物用サポーター付き胴着の正面図および背面図
【図２】本発明の第１の愛玩動物用サポーター付き胴着の右側面図および左側面図
【図３】本発明の第１の愛玩動物用サポーター付き胴着の平面図および底面図
【図４】サポーター部分を左右に開いた様子を平面から見た図
【図５】サポーター部分を左右に開いた様子を底面から見た図
【図６】本発明の第１の愛玩動物用サポーター付き胴着の愛玩動物への装着例を模式的に示す図
【図７】サポーターの上縁にフレーム材を含めた構成例を模式的に右側面から示した図
【図８】サポーターの側面にポケットを設けた構成例を模式的に右側面から示した図
【符号の説明】
【００３１】
１０  内側胴着
１１  胴着片
１２  開口部分
１３  接合部分
２０  サポーター
２１  右側帯部分
２２  右取っ手
２３  左側帯部分
２４  左取っ手
２５  中央帯部分
【図１】
2008029303.tif 000003
【図２】
2008029303.tif 000004
【図３】
2008029303.tif 000005
【図４】
2008029303.tif 000006
【図５】
2008029303.tif 000007
【図６】
2008029303.tif 000008
【図７】
2008029303.tif 000009
【図８】
2008029303.tif 000010
【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
人手により愛玩動物の胴体を支えつつ介助者がともに歩行して前記愛玩動物の歩行を介助する愛玩動物歩行介助用サポーター付き胴着であって、
愛玩動物の胴体に装着する胴着となる内側胴着と、
前記愛玩動物の胴腹を包み込む幅を持ち、人手で上方に引き上げることにより前記愛玩動物の胴体を上方に支える略胴腹幅の帯状体のサポーターを備え、
前記サポーターを左右に広げた状態における左側帯部分と中央帯部分と右側帯部分について、前記中央帯部分を前記内側胴着の下腹部分に縫合して取り付けて一体とし、前記左側帯部分と前記右側帯部分を前記内側胴着の側面から上方に立て、前記左側帯部分と前記右側帯部分の端部に取っ手を取り付けたことを特徴とする愛玩動物歩行介助用サポーター付き胴着。
【請求項２】
人手により愛玩動物の胴体を支えつつ介助者がともに歩行して前記愛玩動物の歩行を介助する愛玩動物歩行介助用サポーター付き胴着であって、
愛玩動物の胴体に装着する胴着となる内側胴着と、
人手で上方に引き上げることにより前記愛玩動物の胴体を上方に支える帯状体のサポーターを備え、
前記サポーターを左右に広げた状態における左側帯部分と中央帯部分と右側帯部分について、前記中央帯部分を前記内側胴着の下腹部分に縫合して取り付けて一体とし、前記左側帯部分と前記右側帯部分を前記内側胴着の側面から上方に立て、前記左側帯部分と前記右側帯部分の端部に取っ手を取り付け、
前記サポーターの上縁にフレーム材を含め、前記サポーターを上方に引き上げる力が前記フレーム材を介して前記サポーターの上縁全体にかかることを特徴とする愛玩動物歩行介助用サポーター付き胴着。
【手続補正２】
【補正対象書類名】明細書
【補正対象項目名】全文
【補正方法】変更
【補正の内容】
【発明の詳細な説明】
【技術分野】
【０００１】
本発明は、愛玩動物歩行介助用サポーター付き胴着に関する。
本発明の愛玩動物歩行介助用サポーター付き胴着は、飼い主の介助のもと、歩行が困難となった高齢の四足歩行動物の体重を支え、その歩行を助けるものである。例えば、高齢の犬の体重を支え、その歩行を助けるものである。
【背景技術】
【０００２】
愛玩動物が高齢になると歩行が困難になってくるが、特に犬は習性として外を散歩することが健康上必要とされているため、歩行が困難であっても何とかその歩行を補助し、外を散歩できるような工夫が試みられている。
【０００３】
例えば、特開２００４−２０８６６９号公報に開示された技術は、犬猫等の愛玩動物の胴体を乗せる台座と台座側部のベルトを設け、愛玩動物が当該台座の上に乗った姿勢でベルトを肩と腰に巻きつけて固定するとともに、当該台座下に車輪を設け、愛玩動物の歩行に応じて車輪が回ることにより台座全体の前進が確保せしめられるペット用歩行補助車に関するものである。当該ペット用歩行補助車によれば、愛玩動物が体重を台座に預けることにより足にかかる負担を軽くし、かつ、車輪の取り付け角度を工夫することにより、愛玩動物自身が当該ペット用歩行補助車の進行方向を簡単に変えられるという操作性能を付加せしめている。
【０００４】
また、例えば、特開２００３−００９７０４号公報に開示された技術は、愛玩動物の体を支えて歩行を補助するペット用歩行補助具であって、いわゆるカート状の走行台車の側面に支持ロッドを連結し、当該支持ロッドに愛玩動物の胴部を包み込む帯状紐の吊り下げ支持体を設けたペット用歩行補助具に関するものである。つまり吊り下げ支持体をＵ字型に垂らし、愛玩動物の胴部をそのＵ字型にした帯状紐の吊り下げ支持体上に載せ置いて体重を支えせしめる構造となっている。愛玩動物の足は吊り下げ支持体から露出しており、接地している。
【０００５】
また、例えば、特開２００２−３４５３６０号公報に開示された技術は、特開２００３−００９７０４号公報に開示された技術に近い構成を備えた病犬介護用歩行補助具であり、いわゆるカート状の走行台車のフレームに病犬用の吊り上げベルトをＵ字型に垂らし、愛玩動物の胴部をそのＵ字型の吊り下げベルト上に載せ置いて体重を支えせしめるとともに、肩に装着する締め付けベルトを備え、当該締め付けベルトとカート状の走行台車と連結せしめて一体とし、愛玩動物の歩行に合わせて全体が前方に移動する構造となっている。
【０００６】
【特許文献１】特開２００４−２０８６６９号公報
【特許文献２】特開２００３−００９７０４号公報
【特許文献３】特開２００２−３４５３６０号公報
【発明の開示】
【発明が解決しようとする課題】
【０００７】
上記のいずれの従来技術においても以下のような問題がある。
特開２００４−２０８６６９号公報に開示された技術の場合、愛玩動物の自立歩行を目指したものであり愛玩動物が走行台車に体重を預けることは可能である。しかしながら実際には愛玩動物の自立歩行はかならずしも容易になるとは限らない。四輪者のように車輪間隔が大きい場合には車輪走行が安定しやすいが特開２００４−２０８６６９号公報に開示されたものは車輪間隔が小さく車輪走行が安定し辛いため足腰の弱った愛玩動物の不安定な歩行ではかえって転倒を招く恐れがある。また、実際の愛玩動物の歩行は直線的な歩行ではなく足の運びに応じて体が上下方向に蛇行そして左右方向に蛇行をしながら進むが、台座の走行は直線運動であり歩行運動とは合わず、愛玩動物の歩行を困難にする恐れがある。
【０００８】
特開２００３−００９７０４号公報に開示された技術の場合、カート状の走行車両を用いて飼い主の介助のもと歩行を支援するものであり、愛玩動物がＵ字型に垂らされた帯状紐の吊り下げ支持体に体重を預けることは可能である。しかしながら実際には愛玩動物の歩行はかならずしも容易になるとは限らない。実際の愛玩動物の歩行は直線的な歩行ではなく足の運びに応じて体が上下方向に蛇行そして左右方向に蛇行をしながら進むが、特開２００３−００９７０４号公報に開示された技術の場合、愛玩動物と帯状紐の吊り下げ支持体といわゆるカート状の走行車両の一体性がなく、愛玩動物が帯状紐の吊り下げ支持体に体重を預けたままの静止状態では安定するものの、愛玩動物が歩行する状態ではいわゆるカートの直線的な前進運動と愛玩動物の歩行による上下左右に蛇行する前進運動とが合致せず、両者が一体性を保ちにくく結局、愛玩動物の歩行を困難にする恐れがある。
【０００９】
特開２００２−３４５３６０号公報に開示された技術の場合もカート状の走行車両を用いて飼い主の介助のもと歩行を支援するものであり、愛玩動物がＵ字型に垂らされた帯状紐の吊り下げ支持体に体重を預けることは可能である。愛玩動物といわゆるカート状走行車両を締め付けベルトにより連結しており、特開２００３−００９７０４号公報に比べて愛玩動物とカート状走行車両の一体性は確保されている。しかしながら実際には愛玩動物の歩行はかならずしも容易になるとは限らない。実際の愛玩動物の歩行は直線的な歩行ではなく足の運びに応じて体が上下方向に蛇行そして左右方向に蛇行をしながら進むが、特開２００２−３４５３６０号公報に開示された技術の場合、愛玩動物と帯状紐の吊り下げベルトとの一体性がなく、愛玩動物が帯状紐の吊り下げ支持体に体重を預けたままの静止状態では安定するものの、愛玩動物が歩行する状態ではいわゆるカートの直線的な前進運動と愛玩動物の歩行による上下左右に蛇行する前進運動とが合致せず、両者が一体性を保ちにくい。また、特開２００２−３４５３６０号公報に開示された技術の場合、肩によりカート状走行車両を牽引する構造となっており、前足や肩の運動機能が衰えている愛玩動物には不向きであると言える。
【００１０】
本発明は上述の問題に鑑み、運動機能の衰えた愛玩動物の歩行を支援することができる愛玩動物歩行介助用サポーター付き胴着を提供することを目的とする。
【課題を解決するための手段】
【００１１】
上記目的を達成するため、本発明の請求項１にかかる愛玩動物歩行介助用サポーター付き胴着は、
人手により愛玩動物の胴体を支えつつ介助者がともに歩行して前記愛玩動物の歩行を介助する愛玩動物歩行介助用サポーター付き胴着であって、
愛玩動物の胴体に装着する胴着となる内側胴着と、
前記愛玩動物の胴腹を包み込む幅を持ち、人手で上方に引き上げることにより前記愛玩動物の胴体を上方に支える略胴腹幅の帯状体のサポーターを備え、
前記サポーターを左右に広げた状態における左側帯部分と中央帯部分と右側帯部分について、前記中央帯部分を前記内側胴着の下腹部分に縫合して取り付けて一体とし、前記左側帯部分と前記右側帯部分を前記内側胴着の側面から上方に立て、前記左側帯部分と前記右側帯部分の端部に取っ手を取り付けたことを特徴とする。
【００１２】
また、本発明の請求項２にかかる愛玩動物歩行介助用サポーター付き胴着は、
人手により愛玩動物の胴体を支えつつ介助者がともに歩行して前記愛玩動物の歩行を介助する愛玩動物歩行介助用サポーター付き胴着であって、
愛玩動物の胴体に装着する胴着となる内側胴着と、
人手で上方に引き上げることにより前記愛玩動物の胴体を上方に支える帯状体のサポーターを備え、
前記サポーターを左右に広げた状態における左側帯部分と中央帯部分と右側帯部分について、前記中央帯部分を前記内側胴着の下腹部分に縫合して取り付けて一体とし、前記左側帯部分と前記右側帯部分を前記内側胴着の側面から上方に立て、前記左側帯部分と前記右側帯部分の端部に取っ手を取り付け、
前記サポーターの上縁にフレーム材を含め、前記サポーターを上方に引き上げる力が前記フレーム材を介して前記サポーターの上縁全体にかかることを特徴とする。
【００１３】
上記のようにサポーターの上縁にフレーム材を含めることにより愛玩動物の介助歩行中においても、前記サポーターを上方に引き上げる力が前記フレーム材を介して前記サポーターの上縁全体にかかるので取っ手を介して上方に引き上げる力が前記サポーターの上縁に均等にかかるようになり愛玩動物を包み込むように支えてやることができる。また、前記サポーターがよれることもない。
【発明の効果】
【００１４】
本発明の愛玩動物歩行介助用サポーター付き胴着によれば、内側胴着と一体になっている略胴腹幅の帯状体のサポーターを人手で上方に引き上げることにより、愛玩動物の介助歩行中においても愛玩動物の体全体を包み込むように上方に引き上げてやることができる。このように愛玩動物の体重を支えつつ、略胴腹幅のサポーターを介して体全体を引き上げてやるので愛玩動物の体の一部に圧力が集中することなく適度に分散され、愛玩動物の負担が軽減されている。また、人手でサポーターを上方に引き上げているので愛玩動物の歩行による上下左右に蛇行する前進運動の軌跡に対して手首、肘によってうまく調整しつつ上方に支えることができ、愛玩動物の自然な歩行が可能となる。
【発明を実施するための最良の形態】
【００１５】
以下、図面を参照しつつ、本発明の愛玩動物歩行介助用サポーター付き胴着の実施例を説明する。ただし、本発明の範囲は以下の実施例に示した具体的な形状、個数、角度などには限定されないことは言うまでもない。
【実施例１】
【００１６】
本発明の第１の愛玩動物歩行介助用サポーター付き胴着の一例を示す。愛玩動物の一例として犬の構成例を示す。
図１から図３は本発明の第１の愛玩動物歩行介助用サポーター付き胴着の構成例を示す６面図である。本発明の第１の愛玩動物歩行介助用サポーター付き胴着は、内側胴着とサポーター部分を備えた基本構成である。
図１（ａ）は本発明の第１の愛玩動物歩行介助用サポーター付き胴着の正面図、図１（ｂ）は同背面図、図２（ａ）は同右側面図、図２（ｂ）は同左側面図、図３（ａ）は同平面図、図３（ｂ）は同底面図を示している。
【００１７】
図１（ａ）及び（ｂ）において、１０は内側胴着、２０はサポーターである。
内側胴着１０は愛玩動物である犬の胴体に装着する胴着である。内側胴着１０は、胴着片１１、開口部分１２、接合部分１３を備えている。
胴着片１１を犬の体に装着し、犬の頭部から首を露出するための開口部１２、前足を露出するための開口部１２、下半身を露出するための開口部１２からそれぞれ当該部位を露出させて装着する。この例では内側胴着１０は愛玩動物の肩から腹付近までを包み込む形状となっている。
【００１８】
なお、この構成例では犬に内側胴着１０を装着しやすいように接合部分１３を設けている。図１から図３に示した構成例では接合部分１３はマジックテープにより左右から仮止めする構造の例であるが、他にもボタン式、ジッパー式などの構成やその他の構成であっても良い。また、接合部分１３は内側胴着１０の背側に縦方向に設けられているが、背側以外でも良く、接合方向も縦方向に限定されない。
【００１９】
サポーター２０は人手で上方に引き上げることにより愛玩動物の胴体を上方に支える帯状体のものである。サポーター２０は、右側帯部分２１、右取っ手２２、左側帯部分２３、左取っ手２４、中央帯部分２５を備えている。
【００２０】
図４および図５はサポーター２０の構成が分かりやすいように示す図であり、図４がサポーター部分２０を左右に開いた様子を正面から見た様子を示す図、図５がサポーター部分２０を左右に開いた様子を背面からみた様子を示す図である。この構成例ではサポーター２０は一体の帯布となっており、帯布を左右に広げた状態において右側帯部分２１、左側帯部分２３、中央帯部分２５を備えた構成となっている。
サポーター２０の中央帯部分２５は内側胴着１０の下腹部分に縫合して取り付けられており、サポーター２０は内側胴着１０に取り付けられて一体となっている。下腹において縫合されたサポーター２０は、右側帯部分２１と左側帯部分２３の両者が内側胴着１０の側面から上方に立てられた形を基本形とする。図４および図５から明らかなようにサポーター２０の幅は内側胴着１０の胴腹の幅と略同一の幅を持っている。
右側帯部分２１の端部には右取っ手２２が取り付けられ、左側帯部分２３の端部には左取っ手２４が取り付けられている。左右取っ手２２および２４を人手で持つ構成となっている。
【００２１】
図６は上記構成にかかる本発明の第１の愛玩動物歩行介助用サポーター付き胴着の愛玩動物への装着例を模式的に示す図である。
サポーター２０の取っ手２２、２４を人手で持つことにより愛玩動物の胴体を支えることができる。
【００２２】
実施例１に示した愛玩動物歩行介助用サポーター付き胴着を用いれば、愛玩動物の体全体を内側胴着１０により包み込んで優しく保持し、内側胴着１０の胴腹部分全体と一体になっているサポーター２０を人手で上方に引き上げることにより、内側胴着１０とサポーター２０を介して愛玩動物の体全体を包み込むように上方に引き上げてやることができる。
このように愛玩動物の体重を支えつつ、体全体を引き上げてやるので愛玩動物の体の一部に圧力が集中することなく適度に分散され、愛玩動物の負担が軽減されている。また、人手でサポーター２０を上方に引き上げているので愛玩動物の歩行による上下左右に蛇行する前進運動の軌跡に対して手首、肘によってうまく調整しつつ上方に支えることができ、愛玩動物の自然な歩行が可能となる。
【実施例２】
【００２３】
本発明の第２の愛玩動物歩行介助用サポーター付き胴着の一例を示す。愛玩動物の一例として犬の構成例を示す。
本発明の第２の愛玩動物歩行介助用サポーター付き胴着は、サポーターの上縁にフレーム材を含め、サポーターを上方に引き上げる力がフレーム材を介してサポーターの上縁全体にかかる工夫を施したものである。
【００２４】
図７はサポーター２０の上縁にフレーム材を含めた構成例を模式的に右側面から示した図である。
サポーター２０の上縁の内部には棒状のフレーム材が含まれている。例えば、プラスチックの棒材、アルミパイプのパイプ材など軽くて丈夫な素材が好ましい。サポーター２０の上縁の内部に棒状のフレーム材が含まれているので、取っ手２２を介して上方に引き上げた場合、フレーム材を介してサポーターが上方に引き上げられることとなり、サポーターにかかる力が均等になる効果が得られる。
また、図７のようにサポーター２０の上縁の内部には棒状のフレーム材が存在すればサポーター２０の上縁が折れ曲がったりよれたりすることはなく、常にピンと張って形が保たれ、形が崩れることがない。
【実施例３】
【００２５】
本発明の第３の愛玩動物歩行介助用サポーター付き胴着は、本発明の第１の愛玩動物歩行介助用サポーター付き胴着の構成または本発明の第２の愛玩動物歩行介助用サポーター付き胴着の構成を備え、さらにポケット類をサポーターまたは内側胴着に設けた工夫を盛り込んだものである。
【００２６】
図８はサポーター２０の側面にポケットを設けた構成例を模式的に右側面から示した図である。
ポケットを設ける位置、ポケットの形状、ポケットの数などは特に限定されず、サポーター２０または胴着に設けることができる。
【００２７】
なお、上記実施例では犬用のサポータ付き胴着の構成を示したが、本発明の愛玩動物歩行介助用サポーター付き胴着は犬用に限らず、猫用も同様に構成することができ、犬猫以外の動物にも適用できることは言うまでもない。
【００２８】
以上、本発明の好ましい実施例を図示して説明してきたが、本発明の技術的範囲を逸脱することなく種々の変更が可能であることは理解されるであろう。従って本発明の技術的範囲は添付された特許請求の範囲の記載によってのみ限定されるものである。
【産業上の利用可能性】
【００２９】
本発明の愛玩動物歩行介助用サポーター付き胴着は、犬、猫などの愛玩動物用の胴着、散歩グッズ、介護用品に用いることができる。
【図面の簡単な説明】
【００３０】
【図１】本発明の第１の愛玩動物歩行介助用サポーター付き胴着の正面図および背面図
【図２】本発明の第１の愛玩動物歩行介助用サポーター付き胴着の右側面図および左側面図
【図３】本発明の第１の愛玩動物歩行介助用サポーター付き胴着の平面図および底面図
【図４】サポーター部分を左右に開いた様子を正面から見た様子を示す図
【図５】サポーター部分を左右に開いた様子を背面からみた様子を示す図
【図６】本発明の第１の愛玩動物歩行介助用サポーター付き胴着の愛玩動物への装着例を模式的に示す図
【図７】サポーターの上縁にフレーム材を含めた構成例を模式的に右側面から示した図
【図８】サポーターの側面にポケットを設けた構成例を模式的に右側面から示した図
【符号の説明】
【００３１】
１０  内側胴着
１１  胴着片
１２  開口部分
１３  接合部分
２０  サポーター
２１  右側帯部分
２２  右取っ手
２３  左側帯部分
２４  左取っ手
２５  中央帯部分